(57)【特許請求の範囲】
【請求項１】
レセプタクルコネクタのレセプタクルハウジングの底壁から立ち上がり該レセプタクルハウジングの長手方向に延びる一対の側壁のそれぞれに保持されたレセプタクル端子に対して接続されるプラグ端子が上記長手方向に延びるプラグハウジングに保持されていて上記レセプタクルコネクタが嵌合接続されるプラグコネクタと上記レセプタクルコネクタとを有するコネクタ組立体において、
プラグコネクタは、プラグ端子をシールドするプラグシールド部材がプラグハウジングにより保持されており、
上記プラグシールド部材は、上記長手方向の端部側でプラグハウジングにより保持されるプラグシールド端板部と、長手方向に対し直角な短手方向でプラグハウジングの側壁から離間した位置で該プラグハウジングの長手方向に延びる一対のプラグシールド側板部を有し、各プラグシールド側板部とプラグハウジングの側壁との間に、レセプタクルハウジングの側壁を受け入れる受入空間を形成し、上記短手方向に見たときに各プラグシールド側板部がプラグ端子の少なくとも一部を覆っており、
プラグ端子は回路基板に半田接続されるプラグ端子接続部を有し、
プラグシールド側板部は、上記短手方向でプラグ端子のプラグ端子接続部よりも外側に位置しており、コネクタ嵌合方向での上記回路基板の側の縁部に切欠状の凹縁部が形成されていて、上記短手方向に見たときに上記凹縁部に対応して位置するプラグ端子接続部を上記凹縁部を通して目視可能となっており、
レセプタクルコネクタは、レセプタクル端子をシールドするレセプタクルシールド部材が、上記長手方向の端部側でレセプタクルハウジングにより保持されるレセプタクルシールド端板部を有しており、
上記レセプタクルシールド部材は、上記短手方向でレセプタクルハウジングの側壁から離間した位置に上記短手方向で該側壁に対面する板状部分が形成された一対のレセプタクルシールド側板部を有し、上記短手方向に見たときに各レセプタクルシールド側板部がレセプタクル端子の少なくとも一部を覆っており、
レセプタクル端子は、他の回路基板に半田接続されるレセプタクル端子接続部を有し、
レセプタクルシールド側板部の上記板状部分は、上記短手方向でレセプタクル端子接続部よりも外側に位置しており、コネクタ嵌合方向での上記他の回路基板の側の縁部に凹部が形成されていて、上記短手方向に見たときに上記凹部に対応して位置するレセプタクル端子接続部を上記凹部を通して目視可能となっており、
上記レセプタクルハウジングの側壁とレセプタクルシールド側板部の上記板状部分との間でコネクタ嵌合方向から上記レセプタクル端子接続部を目視可能となっており、
プラグコネクタとレセプタクルコネクタの正規の嵌合状態で、上記プラグシールド部材とレセプタクルシールド部材とが接触していることを特徴とするコネクタ組立体。
【請求項２】
レセプタクルシールド側板部は、上記短手方向で内側へ向けて突出する突部が複数ヶ所に設けられ、突部と突部との間に切欠部が形成されていることとする請求項１に記載のコネクタ組立体。
【請求項３】
プラグシールド側板部は、コネクタ嵌合接続状態で短手方向に見たときに、レセプタクル端子の少なくとも一部も覆っていることとする請求項１または請求項２に記載のコネクタ組立体。
【請求項４】
プラグシールド側板部は、短手方向に見たときに、プラグハウジングの側壁へのプラグ端子の取付部分とプラグコネクタが回路基板と接続されるためのプラグ端子接続部とを覆っていることとする請求項１ないし請求項３のうちの一つに記載のコネクタ組立体。
【請求項５】
プラグシールド側板部は、レセプタクルコネクタのレセプタクルシールド部材を受け入れて該レセプタクルシールド部材と接触する弾性接触片を有し、該弾性接触片は短手方向でプラグシールド側板部から内方に切り起こされて突出して長手方向に延びていることとする請求項１ないし請求項４のうちの一つに記載のコネクタ組立体。
【請求項６】
プラグシールド側板部は、上記長手方向に見たときに、コネクタ嵌合方向に延びる部分と、上記コネクタ嵌合方向で回路基板から離間する側の縁部にて屈曲されて上記短手方向で内側へ向けて延びる部分とを有していることとする請求項１ないし請求項５のうちの一つに記載のコネクタ組立体。
【発明の詳細な説明】
【技術分野】
【０００１】
本発明は、プラグコネクタとレセプタクルコネクタとを有するコネクタ組立体に関する。
【背景技術】
【０００２】
プラグコネクタとレセプタクルコネクタとがそれぞれ対応の回路基板に取り付けられ、プラグコネクタとレセプタクルコネクタとが互いに嵌合接続されることで、両回路基板が電気的に接続されるようにした、上記プラグコネクタとレセプタクルコネクタの組立体は、例えば、特許文献１に開示されている。
【０００３】
特許文献１のコネクタ組立体は、コネクタ組立体全体を覆うシールド部材（シェル）をレセプタクルコネクタ側に設けている。特許文献１では、プラグコネクタはハウジング（インシュレータ）に設けられた平行な二つの側壁（嵌合凸部）のそれぞれでＵ字状部分が保持された端子（コンタクト）を有し、該端子のＵ字状部分の両脚部が接触部を形成しており、一方、レセプタクルコネクタは、該レセプタクルコネクタのハウジングの中央突部と両方の側壁（前壁及び後壁）のそれぞれとの間で凹部（変形許容溝）を形成し、両方の側壁のそれぞれに逆Ｕ字状部分で取り付けられた端子の内端側がＵ字状の接触部をなしている。上記レセプタクルコネクタの二つの側壁そしてそれらで保持される端子は側壁同士の対向方向で対称をなし、端子が複列に配置されている。両コネクタの嵌合接続のもとでは、側壁で保持されたプラグコネクタの端子のＵ字状部分が、レセプタクルコネクタの端子のＵ字状の接触部に嵌入する。かかる嵌合接続状態では、レセプタクルコネクタの逆Ｕ字状部分は、コネクタ幅方向でプラグコネクタの外側に位置している。そこで、特許文献１では、レセプタクルコネクタにシールド部材を設けることで、シールド部材を有していないプラグコネクタをも含め、プラグコネクタとレセプタクルコネクタとを組立体全体としてシールドするようにしている。
【０００４】
プラグコネクタもレセプタクルコネクタも、ハウジングのそれぞれの側壁の外面には端子の一部が位置しているために、側壁の外面に接面してシールド部材を取り付けることができない。そこで、特許文献１では、コネクタ幅方向でプラグコネクタの側壁よりも外方に位置しているレセプタクルコネクタの側壁から外方に離間した位置で該レセプタクルコネクタの側壁に平行となるようにシールド部材をレセプタクルコネクタに配している。このシールド部材は、側壁が延びる方向での両端部でレセプタクルコネクタのハウジングにより保持されている。
【先行技術文献】
【特許文献】
【０００５】
【特許文献１】特開２０１４−１９２１０２
【発明の概要】
【発明が解決しようとする課題】
【０００６】
しかしながら、プラグコネクタとレセプタクルコネクタから成るコネクタ組立体の場合でレセプタクルコネクタに互換性があって該レセプタクルコネクタにシールド部材が備えられていない形式のものを採用する実施形態あるいは採用せざるを得ない実施形態では、プラグコネクタがシールド部材を有していないので、両コネクタとも、すなわちコネクタ組立体が全くシールドされないこととなる。
【０００７】
本発明は、かかる事態でも対応してコネクタ組立体をシールドすることのできるプラグコネクタ及びこれとレセプタクルコネクタとを有するコネクタ組立体を提供することを課題とする。
【課題を解決するための手段】
【０００８】
本発明によれば、上記課題はコネクタ組立体に関して次のごとく構成することよって解決される。
【００１２】
レセプタクルコネクタのレセプタクルハウジングの底壁から立ち上がり該レセプタクルハウジングの長手方向に延びる一対の側壁のそれぞれに保持されたレセプタクル端子に対して接続されるプラグ端子が上記長手方向に延びるプラグハウジングに保持されていて上記レセプタクルコネクタが嵌合接続されるプラグコネクタと上記レセプタクルコネクタとを有するコネクタ組立体において、
プラグコネクタは、プラグ端子をシールドするプラグシールド部材がプラグハウジングにより保持されており、
上記プラグシールド部材は、上記長手方向の端部側でプラグハウジングにより保持されるプラグシールド端板部と、長手方向に対し直角な短手方向でプラグハウジングの側壁から離間した位置で該プラグハウジングの長手方向に延びる一対のプラグシールド側板部を有し、各プラグシールド側板部とプラグハウジングの側壁との間に、レセプタクルハウジングの側壁を受け入れる受入空間を形成し、上記短手方向に見たときに各プラグシールド側板部がプラグ端子の少なくとも一部を覆っており、
プラグ端子は回路基板に半田接続されるプラグ端子接続部を有し、
プラグシールド側板部は、上記短手方向でプラグ端子のプラグ端子接続部よりも外側に位置しており、コネクタ嵌合方向での上記回路基板の側の縁部に切欠状の凹縁部が形成されていて、上記短手方向に見たときに上記凹縁部に対応して位置するプラグ端子接続部を上記凹縁部を通して目視可能となっており、
レセプタクルコネクタは、レセプタクル端子をシールドするレセプタクルシールド部材が、上記長手方向の端部側でレセプタクルハウジングにより保持されるレセプタクルシールド端板部を有しており、
上記レセプタクルシールド部材は、上記短手方向でレセプタクルハウジングの側壁から離間した位置に上記短手方向で該側壁に対面する板状部分が形成された一対のレセプタクルシールド側板部を有し、上記短手方向に見たときに各レセプタクルシールド側板部がレセプタクル端子の少なくとも一部を覆っており、
レセプタクル端子は、他の回路基板に半田接続されるレセプタクル端子接続部を有し、
レセプタクルシールド側板部の上記板状部分は、上記短手方向でレセプタクル端子接続部よりも外側に位置しており、コネクタ嵌合方向での上記他の回路基板の側の縁部に凹部が形成されていて、上記短手方向に見たときに上記凹部に対応して位置するレセプタクル端子接続部を上記凹部を通して目視可能となっており、
上記レセプタクルハウジングの側壁とレセプタクルシールド側板部の上記板状部分との間でコネクタ嵌合方向から上記レセプタクル端子接続部を目視可能となっており、
プラグコネクタとレセプタクルコネクタの正規の嵌合状態で、上記プラグシールド部材とレセプタクルシールド部材とが接触していることを特徴とするコネクタ組立体。
【００１３】
このような構成の本発明のコネクタ組立体にあっては、プラグシールド部材のプラグシールド側板部がコネクタ嵌合方向にて該プラグ端子接続部と重複する範囲に及んでいるので、プラグ端子接続部でのシールドの効果も得られ、一部のプラグ端子接続部に対応する位置に切欠部が形成されているので、短手方向に見ることでプラグ端子接続部での半田状態を目視確認できる。凹縁部の形成によっても、残りの多くの部分にプラグシールド部材が存在しているので、シールド効果の低下にはあまり影響しない。
【００１４】
本発明において、レセプタクルシールド側板部は、上記短手方向で内側へ向けて突出する突部が複数ヶ所に設けられ、突部と突部との間に切欠部が形成されていることとすることができる。
【００１５】
また、本発明において、プラグシールド側板部は、コネクタ嵌合接続状態で短手方向に見たときに、レセプタクル端子の少なくとも一部も覆っていることが好ましい。こうすることで、プラグシールド部材はレセプタクル端子をもシールドすることになる。
【００１６】
また、本発明において、プラグシールド側板部は、短手方向に見たときに、プラグハウジングの側壁へのプラグ端子の取付部分とプラグコネクタが回路基板と接続されるためのプラグ端子接続部とを覆っていることが好ましい。プラグシールド側板部がプラグ端子接続部をも覆うことで、プラグコネクタにおけるシールド機能がさらに向上する。
【００１７】
さらに、本発明において、プラグシールド側板部は、レセプタクルコネクタのレセプタクルシールド部材を受け入れて該レセプタクルシールド部材と接触する弾性接触片を有し、該弾性接触片は短手方向で側板部から内方に切り起こされて突出して長手方向に延びていることが好ましい。
また、本発明において、プラグシールド側板部は、上記長手方向に見たときに、コネクタ嵌合方向に延びる部分と、上記コネクタ嵌合方向で回路基板から離間する側の縁部にて屈曲されて上記短手方向で内側へ向けて延びる部分とを有していてもよい。
【００１８】
このように接触片を設けることで、プラグシールド部材とレセプタクルシールド部材とは良好に導通が図れる。また、接触片は長手方向に延びるので、高さ寸法に制約のあるプラグコネクタでも、接触片の弾性変位量を十分に確保できる。さらには、接触片は内方に突出しているので、コネクタの取扱時等において、外部の他の部材等との不用意な衝突を回避でき損傷の虞れはない。
【発明の効果】
【００２３】
本発明は、以上のように、プラグハウジングに対して短手方向で離間する一対のプラグシールド側板部を有するプラグシールド部材を設け、各プラグシールド側板部とプラグハウジングの間に形成されるそれぞれの受入空間にレセプタクル端子を保持するレセプタクルハウジングの対応する側壁を受け入れるようにしたので、コネクタ嵌合接続状態で上記プラグコネクタの両プラグシールド側板部のそれぞれがプラグ端子のみならずレセプタクル端子に対しても外側に位置するようになり、プラグコネクタ自体のみならず該プラグコネクタとレセプタクルコネクタの組立体についてもシールドできるという効果を得る。
【図面の簡単な説明】
【００２４】
【図１】図１（Ａ）は、本発明の第一実施形態のプラグコネクタと相手方たるレセプタクルコネクタを互いの嵌合前の状態で示す斜視図、図１（Ｂ）はこれらのプラグコネクタとレセプタクルコネクタとの嵌合後のコネクタ組立体を示す斜視図である。
【図２】嵌合方向となる下向き姿勢で図１（Ａ）に示されたプラグコネクタを上下反転した姿勢で示す斜視図である。
【図３】図１（Ａ）におけるプラグコネクタとレセプタクルコネクタの拡大断面斜視図である。
【図４】図３の両コネクタについてのコネクタ組立体の拡大断面図である。
【図５】図５（Ａ）は図３（Ａ）のプラグコネクタの底面図、図５（Ｂ）は図３（Ｂ）のレセプタクルコネクタの平面図である。
【図６】図６（Ａ）,（Ｂ）は図１（Ａ）,（Ｂ）に対応し、図１（Ａ）,（Ｂ）についてのプラグシールド部材、レセプタクルシールド部材とそれらの組立体とを示す。
【図７】図７（Ａ）,（Ｂ）はプラグシールド部材の弾性接触片の部分の拡大を示す斜視図で、（Ａ）は図６（Ａ）に相当する上方から見た図、（Ｂ）は下方から見た図である。
【図８】図３についての側面図である。
【図９】図１コネクタの嵌合前の端子位置での断面図である。
【図１０】図１コネクタの嵌合後の端子位置での断面図である。
【図１１】図１１（Ａ）は、本発明の第二実施形態のプラグコネクタと相手方たるレセプタクルコネクタを互いの嵌合前の状態で示す斜視図、図１１（Ｂ）はこれらのプラグコネクタとレセプタクルコネクタとの嵌合後のコネクタ組立体を示す斜視図である。
【発明を実施するための形態】
【００２５】
以下、添付図面にもとづき、本発明の実施形態を説明する。
【００２６】
＜第一実施形態＞
図１（Ａ）は、本実施形態のプラグコネクタと相手方たるレセプタクルコネクタを互いの嵌合前の状態で示す斜視図、図１（Ｂ）はこれらのプラグコネクタとレセプタクルコネクタとの嵌合後のコネクタ組立体を示す斜視図であり、図２は嵌合方向となる下向き姿勢で図１（Ａ）に示されたプラグコネクタを上下反転した姿勢で示す斜視図であり、図３は図１（Ａ）におけるプラグコネクタとレセプタクルコネクタの拡大断面斜視図であり、図４は図３の両コネクタについてのコネクタ組立体の拡大断面図であり、図５（Ａ）は図３（Ａ）のプラグコネクタの底面図、図５（Ｂ）は図３（Ｂ）のレセプタクルコネクタの平面図であり、図６（Ａ）,（Ｂ）は図１（Ａ）,（Ｂ）に対応し、図１（Ａ）,（Ｂ）についてのプラグシールド部材、レセプタクルシールド部材とそれらの組立体とを示し、図７（Ａ）,（Ｂ）はプラグシールド部材の弾性接触片の部分の拡大を示す斜視図で、（Ａ）は図６（Ａ）に相当する上方から見た図、（Ｂ）は下方から見た図であり、図８は図３についての側面図であり、図９は図１コネクタの嵌合前の端子位置での断面図、図１０は嵌合後の端子位置での断面図である。
【００２７】
図１（Ａ）〜図４そして図５（Ａ）において、プラグコネクタ１０は、プラグ端子１１をプラグハウジング２１で保持するプラグコネクタ本体２０に対して該プラグコネクタ本体２０をとり囲むようにしてプラグハウジング２１で支持されているプラグシールド部材３０を有している。
【００２８】
プラグコネクタ本体２０は、プラグハウジング２１の長手方向に延びる二つの側壁２２（図２参照）のそれぞれに複数の信号端子２３が上記長手方向に配列され、該信号端子２３の配列範囲に隣接した両端位置には電源端子２４が配設されている。信号端子２３そして電源端子２４（以下、プラグ端子２３，２４ともいう）はレセプタクル端子と接触する接触部（信号端子２３の接触部２３Ａそして電源端子２４の接触部２４Ａ（図９参照））そして回路基板に半田接続される接続部（信号端子２３の接続部２３Ｂそして電源端子２４の接続部２４Ｂ（図９参照））を有しており、プラグハウジング２１にて一体モールド成形により保持されている。これらのプラグ端子２３，２４は本発明の特徴とするところではないので、これ以上の説明は省略する。
【００２９】
上記プラグコネクタ本体２０のプラグハウジング２１は、プラグ端子２３，２４の配列方向たる長手方向に直状に延びているが、その長手方向で両端にてＴ字状に延出する連結腕２５が設けられている。
【００３０】
プラグシールド部材３０は、金属板を加工して作られており、図１〜図４そして図５（Ａ）に見られるように、上記プラグコネクタ本体２０の周囲に間隔をあけており、上記連結腕２５を除いて該プラグコネクタ本体２０から離間するように位置していて、上記連結腕２５はプラグシールド部材３０の端板部３２に保持され、上記連結腕２５と該プラグコネクタ本体２０とは、上述した一体モールド成形により連結されている。
【００３１】
上記プラグシールド部材３０は、図６（Ａ）に見られるように、上記長手方向に延びる一対の側板部３１と、上記長手方向に対し直角な短手方向（コネクタ幅方向）で、一対の該側板部３１同士をそれらの端部で連結する端板部３２とを有していて、全体として四角枠状をなしている。
【００３２】
上記側板部３１は、上記長手方向に直角な面で断面をとると、図３，４に見られるように、略Ｕ字状断面をなしていて、ほぼ等長の二つの脚部、すなわち内脚部３３と外脚部３４とを有している。
【００３３】
上記内脚部３３そして外脚部３４ともに、コネクタ嵌合方向では、プラグコネクタ１０のプラグ端子２３，２４の接続部の範囲にまで及んでいて、コネクタ幅方向に見たときにプラグ端子２３，２４を覆っている。
【００３４】
プラグコネクタ本体２０の側に寄って位置する内脚部３３は、図３〜図６，図７にも見られるように、上記長手方向の複数位置に、該長手方向に延びる弾性接触片３５を有している。該弾性接触片３５は、上記内脚部３３を部分的に切り起こして作られていて、該弾性接触片３５の先端に向け先細りをなしコネクタ幅方向で内方に向け傾いていて、この先端で、相手方たるレセプタクルシールド部材と弾性をもって接触するようになっている。図６でも判るように、本実施形態では、上記弾性接触片３５の先端の向きは、二列の弾性接触片３５間で互いに逆向きになっている。上記外脚部３４は平坦面をなしているが、信号端子２３の配列ピッチの整数倍の距離のピッチで、複数の信号端子２３のうちの一部の数の信号端子２３に対応する位置に凹縁部３６が形成されている。さらには、上記弾性接触片３５の基部側にも、上記凹縁部３６に対応する位置に凹縁部３５Ａが形成されている。また、弾性接触片３５は先細りであるため、基板との間に隙間が生じる。この凹縁部３６，３５Ａは、プラグコネクタ１０が回路基板に半田接続されたとき、プラグ端子２３，２４の接続部２３Ｂ，２４Ｂにおける半田接続状況を側方から目視確認できるように回路基板との間に隙間を形成している（図８、図９参照）。本実施形態では、一部の接続部は目視確認できないが、全ての接続部を目視確認できるようにしても良い。
【００３５】
端板部３２は、上記長手方向に平行な面での断面をとると、図２に見られるように、側板部３１と同様に、略Ｕ字状断面をなすように、すなわち内脚部３７と外脚部３８とを有している。外脚部３８には、コネクタ幅方向中央位置に片状部３８Ａが形成されていて、該片状部３８Ａの端部が回路基板に半田付けされる。また、片状部３８Ａの両側には取付片３８Ｂが形成され、プラグハウジング２１の連結部２５の対応溝に圧入されることで、プラグハウジング２１に保持される。内脚部３７には、中央に切欠部３７Ｂが形成され、プラグハウジング２１を跨ぐように位置する。切欠部３７Ｂの両端に凸部３７Ａが形成されていて、該凸部３７Ａの端部が半田付けに用いられ、外脚部３８と相俟って、外部に対するシールド機能を互いに補っている。
【００３６】
このような側板部３１、端板部３２を有して四角枠状をなすプラグシールド部材３０は、上記プラグコネクタ本体２０の周囲に間隔を形成して該プラグコネクタ本体２０に対して離間して位置するようになる。この離間した位置で形成される上記周囲の間隔は、レセプタクルハウジングの側壁を受け入れる受入空間３９を形成する。
【００３７】
また、上記プラグコネクタ１０のプラグコネクタ本体２０には、図２に見られるように、一対の側壁２２間に、該側壁２２に沿って長手方向に延びる中央凹部２２Ａが形成されている。該中央凹部２２Ａは、後述するレセプタクルコネクタ６０の中央突壁部を受け入るようになっている。
【００３８】
次に、レセプタクルコネクタ６０は、信号端子６５及び電源端子６６を保持するレセプタクルハウジング６１にレセプタクルシールド部材７０が取り付けられて構成されている。
【００３９】
レセプタクルコネクタ６０は、図１、図３〜図６に見られるように、対向して上記長手方向に延びる一対の側壁６２と、両方の側壁６２をそれらの端部で連結する端壁６３とで枠状の周壁をなし、さらに、周壁の内方に上記側壁６２に平行な中央突部６４を備えたレセプタクルハウジング６１を有している。該中央突部６４と側壁６２には、中央突部６４からハウジング底壁を経て側壁６２へ向けて延びるＵ字状の接触部６５Ａ，６６Ａと回路基板に半田接続される接続部６５Ｂ，６６Ｂをそれぞれもつ信号端子６５と電源端子６６（以下、「レセプタクル端子６５，６６」という）がレセプタクルハウジング６１により一体モールド成形で保持されている（図４，図９参照）。該レセプタクル端子６５，６６自体は、本発明の特徴とするところではないので、これ以上の説明は省略する。
【００４０】
レセプタクルコネクタ６０にも、プラグコネクタ１０の場合と同様に、レセプタクルハウジング６１に対してレセプタクルシールド部材７０が取り付けられている。該レセプタクルシールド部材７０は、上記長手方向に延びる一対の側板部７１と、側板部７１同士をその端部で連結する端板部７２とを有し、全体として四角枠状をなしている。
【００４１】
上記側板部７１は、図３にも見られるように、レセプタクルハウジング６１の側壁６２の側面と上面の両面に沿うように弯曲断面を有し、上記長手方向に延びている。上記側板部７１の側面側の下縁には、レセプタクル端子６５，６６に対応した位置を含む範囲に凹部７１Ｂが形成されており、レセプタクルコネクタ６０が回路基板に半田接続されたときに、レセプタクル端子６５，６６の接続部６５Ｂ，６６Ｂにおける半田接続状態が上記凹部７１Ｂを通して側方から目視で確認できるようになっている（図８、図９参照）。上記側板部７１の上面には短手方向に突出する突部７３が複数ヵ所設けられ、突部と突部との間には切欠部７３Ａが形成され、レセプタクルコネクタ６０が回路基板に半田接続されたときに、その半田接続状態が上記切欠部７３Ａを通して上方から目視で確認できるようになっている。また、突部７３が複数ヵ所設けられていることにより、外部から加わる負荷に対して強度を向上させている。本実施形態では、全ての接続部の目視確認ができるが、一部の接続部を目視確認できないようにしても良い。
【００４２】
端板部７２は、レセプタクルハウジング６１の端壁６３の上面の一部と内外側面の一部を覆うように形成されており、内側面に短手方向の端位置に二つの取付片７２Ａ（図６（Ａ）参照）を有し、外側面には外壁をなす外脚部７２Ｂの下縁に二つの突部７２Ｂ−１が設けられている。該取付片７２Ａはレセプタクルハウジング６１の対応溝に圧入されることでレセプタクルハウジング６１で保持される。上記短手方向で上記取付片７２Ａの位置にて断面をとると、取付片７２Ａに対応する位置に、略Ｕ字状断面をなすように外脚部７２Ｂが設けられている。外脚部７２Ｂには、コネクタ幅方向端部位置に上記突部７２Ｂ−１が形成されていて、該片部の端部が回路基板に半田付けされる。
【００４３】
次に、かかる状態のプラグコネクタ１０とレセプタクルコネクタ６０の使用要領について説明する。
【００４４】
先ず、プラグコネクタ１０とレセプタクルコネクタ６０をそれぞれ対応する回路基板（図示せず）に、それらの端子の接続部２３Ｂ，２４Ｂ；６５Ｂ，６６Ｂにて半田接続する。その半田接続状態は、プラグコネクタ１０では、プラグシールド部材３０の凹縁部３６を通して側方から、そして、レセプタクルコネクタ６０にあっては、レセプタクルシールド部材７０の凹部７１Ｂを通して側方から目視確認でき、レセプタクルシールド部材７０の切欠部７３Ａを通して上方から目視確認できる（図８、図９参照）。図８の右側半分に表れている断面図は、プラグコネクタ１０、レセプタクルコネクタ６０の長手方向に平行な面での断面である。プラグコネクタハウジング２１の端部２１Ａが凸形状しており、レセプタクルコネクタハウジング６１の端部６１Ａが凹形状しているため、両者は嵌合することができる。
【００４５】
次に、回路基板に接続されているプラグコネクタ１０を、他の回路基板に接続されているレセプタクルコネクタ６０の上方位置に、図９のごとくもたらした後、該プラグコネクタ１０を降下させ、図１０のごとくレセプタクルコネクタ６０へ嵌合させる。プラグコネクタ１０は、プラグ端子２３，２４を保持しているプラグハウジング２１の側壁２２がレセプタクルコネクタ６０の中央突部６４と側壁６２との間の空間に進入し、上記プラグ端子２３，２４の接触部２３Ａ，２４Ａがレセプタクル端子６５，６６の接触部６５Ａ，６６Ａと接触して電気的に導通状態となる。一方、レセプタクル端子６５，６６を保持するレセプタクルコネクタ６０の側壁６２とシールド部材７０の側板部７１とは上記プラグコネクタ１０のプラグコネクタ本体２０とプラグシールド部材３０との間の受入空間３９内へ進入する。さらには、レセプタクルコネクタ６０の端壁６３と端板部７２もプラグコネクタ１０の受入空間３９へ進入する。図１０に見られるように、この進入により、プラグシールド部材３０はその複数の弾性接触片３５でレセプタクルシールド部材７０と接触し、電気的に導通状態となる。本実施形態では、プラグシールド部材３０の端板部３２の内脚部３７とレセプタクルシールド部材７０の外側脚部７２Ｂとは接触していないが（図３参照）、いずれか一方に弾性接触片を形成することにより互いに接触していても良い。
【００４６】
このような、プラグコネクタ１０とレセプタクルコネクタ６０の嵌合状態では、内脚部３３と外脚部３４と有し二重構造をなしているプラグシールド部材３０は、コネクタ幅方向または長手方向に見たときに、該プラグコネクタ１０のプラグ端子２３，２４のみならず、レセプタクル端子６５，６６をも覆っており、プラグシールド部材３０のみで、プラグコネクタ１０とレセプタクルコネクタ６０の両方のコネクタの端子をシールドすることとなる。本実施形態のプラグのシールド板は二重であることとしたが、プラグ端子の接続部と重複する範囲に及んで形成されて十分にシールドされているのであれば一重であってもよい。
【００４７】
＜第二実施形態＞
第二実施形態では、上記プラグコネクタ本体２０のプラグハウジング２１の長手方向で両端にてＴ字状に延出する連結腕２５はプラグシールド部材３０の端板部３２に保持されているが、これに限らず、図１１のごとく側板部３１で保持することも可能である。図１１では、前実施形態と共通部位置には同一符号を付し、その説明は省略する。図１１に示す他の実施例においては、連結部２５は、端板部３２には保持されず、上記長手方向に延びる一対の側板部３１の端部に保持されている。このとき、レセプタクルコネクタ６０に設けられた上記長手方向に延びる一対の側壁６２と一対のシールド部材７０の両端に連結腕２５に対応する溝部７１Ｃが形成されている。したがって、両者は嵌合することができる。
【符号の説明】
【００４８】
１０  プラグコネクタ                  ３３  脚部（内脚部）
２１  プラグハウジング                ３４  脚部（外脚部）
２３  プラグ端子（信号端子）          ３５  弾性接触片
２３Ｂ  接続部                        ６０  レセプタクルコネクタ
３０  プラグシールド部材              ６１  レセプタクルハウジング
３１  側板部                          ６２  側壁
３２  端板部                          ６５  レセプタクル端子（信号端子）
【図１】
0006628685.tif 000002
【図２】
0006628685.tif 000003
【図３】
0006628685.tif 000004
【図４】
0006628685.tif 000005
【図５】
0006628685.tif 000006
【図６】
0006628685.tif 000007
【図７】
0006628685.tif 000008
【図８】
0006628685.tif 000009
【図９】
0006628685.tif 000010
【図１０】
0006628685.tif 000011
【図１１】
0006628685.tif 000012